(57)【要約】【課題】複数のセルが高密度に配置される場合であっても、セル間干渉を適切に制御すること。【解決手段】複数の無線基地局と接続可能なユーザ端末であって、各無線基地局からの下りリンク信号を受信する受信部と、前記下りリンク信号から、上りリンクグラントまたは下りリンクアサインメントと、電力制御用の制御信号と、を同時に検出した場合に、前記電力制御用の制御信号に含まれるＴＰＣコマンドを優先して送信電力を変更する電力制御部と、を有する。【選択図】図４
2014220711.tif 000002
【特許請求の範囲】
【請求項１】
複数の無線基地局と接続可能なユーザ端末であって、
各無線基地局からの下りリンク信号を受信する受信部と、
前記下りリンク信号から、上りリンクグラントまたは下りリンクアサインメントと、電力制御用の制御信号と、を同時に検出した場合に、前記電力制御用の制御信号に含まれるＴＰＣコマンドを優先して送信電力を変更する電力制御部と、を有することを特徴とするユーザ端末。
【請求項２】
前記電力制御部は、無線基地局から送信された電力制御指示情報に基づいて、前記ＴＰＣコマンドの優先順位の変更を設定することを特徴とする請求項１に記載のユーザ端末。
【請求項３】
前記電力制御用の制御信号は、ＤＣＩフォーマット３／３Ａであることを特徴とする請求項１に記載のユーザ端末。
【請求項４】
前記電力制御用の制御信号を、拡張ＰＤＣＣＨを介して受信することを特徴とする請求項３に記載のユーザ端末。
【請求項５】
前記電力制御部は、複数の前記電力制御用の制御信号を同時に検出した場合に、最も小さな値を指示するＴＰＣコマンドを選択して電力制御を行うことを特徴とする請求項１に記載のユーザ端末。
【請求項６】
前記電力制御部は、複数の前記電力制御用の制御信号を同時に検出した場合に、最も低いアグリゲーションレベルで符号化された前記電力制御用の制御信号に含まれるＴＰＣコマンドを選択して電力制御を行うことを特徴とする請求項１に記載のユーザ端末。
【請求項７】
前記電力制御部は、前記上りリンクグラントまたは下りリンクアサインメントに含まれるＴＰＣコマンドの値が３である場合に、前記電力制御用の制御信号に含まれるＴＰＣコマンドを優先することを特徴とする請求項１に記載のユーザ端末。
【請求項８】
複数の無線基地局と接続可能なユーザ端末と通信を行う無線基地局であって、
ユーザ端末が上りリンクグラントまたは下りリンクアサインメントと、電力制御用の制御信号と、を同時に検出した場合に、前記電力制御用の制御信号に含まれるＴＰＣコマンドを優先して送信電力を変更する電力制御指示情報を生成する生成部と、
ユーザ端末に下りリンク信号および前記電力制御指示情報を送信する送信部と、を有することを特徴とする無線基地局。
【請求項９】
複数の無線基地局と、前記複数の無線基地局と接続可能なユーザ端末との無線通信方法であって、
前記ユーザ端末は、各無線基地局からの下りリンク信号を受信する工程と、前記下りリンク信号から、上りリンクグラントまたは下りリンクアサインメントと、電力制御用の制御信号と、を同時に検出した場合に、前記電力制御用の制御信号に含まれるＴＰＣコマンドを優先して送信電力を変更する工程と、を有することを特徴とする無線通信方法。
【発明の詳細な説明】
【技術分野】
【０００１】
本発明は、次世代移動通信システムにおけるユーザ端末、無線基地局および無線通信方法に関する。
【背景技術】
【０００２】
ＬＴＥ（Long  Term  Evolution）やＬＴＥの後継システム（たとえば、ＬＴＥアドバンスト、ＦＲＡ（Future  Radio  Access）、４Ｇなどともいう）では、半径数百メートルから数キロメートル程度の相対的に大きいカバレッジを有するマクロセル内に、半径数メートルから数十メートル程度の相対的に小さいカバレッジ有するスモールセル（ピコセル、フェムトセルなどを含む）が配置される無線通信システム（たとえば、ＨｅｔＮｅｔ（Heterogeneous  Network）ともいう）が検討されている（たとえば、非特許文献１）。
【０００３】
かかる無線通信システムでは、マクロセルとスモールセルとの双方で同一の周波数帯を用いるシナリオ（たとえば、co-channelともいう）や、マクロセルとスモールセルとで異なる周波数帯を用いるシナリオ（たとえば、separate  frequencyともいう）が検討されている。具体的には、後者のシナリオでは、マクロセルにおいて相対的に低い周波数帯（たとえば、２ＧＨｚ）を用い、スモールセルにおいて相対的に高い周波数帯（たとえば、３．５ＧＨｚや１０ＧＨｚ）を用いることも検討されている。
【先行技術文献】
【非特許文献】
【０００４】
【非特許文献１】3GPP  TR  36.814“E-UTRA  Further  advancements  for  E-UTRA  physical  layer  aspects”
【発明の概要】
【発明が解決しようとする課題】
【０００５】
上述のＨｅｔＮｅｔでは、マクロセル内に多数のスモールセルを配置することが想定される。この場合、たとえば、ユーザ端末が多く集まる駅やショッピングモールなどの局所的にトラフィックが大きな場所において、スモールセルの配置密度を高くする（Dense  small  cell）ことにより、トラフィックを多数のセルに分散させること（トラフィックオフロード）が考えられる。
【０００６】
しかしながら、スモールセルの配置密度が高い場所では、スモールセル間で干渉が生じるおそれがある。たとえば、あるセルを形成する無線基地局（たとえば、スモール基地局）に対して、周辺セルのユーザ端末から送信される上りリンク信号が干渉となるおそれがある。
【０００７】
本発明は、かかる点に鑑みてなされたものであり、複数のセルが高密度に配置される場合であっても、セル間干渉を適切に制御することができるユーザ端末、無線基地局および無線通信方法を提供することを目的とする。
【課題を解決するための手段】
【０００８】
本発明のユーザ端末は、複数の無線基地局と接続可能なユーザ端末であって、各無線基地局からの下りリンク信号を受信する受信部と、前記下りリンク信号から、上りリンクグラントまたは下りリンクアサインメントと、電力制御用の制御信号と、を同時に検出した場合に、前記電力制御用の制御信号に含まれるＴＰＣコマンドを優先して送信電力を変更する電力制御部と、を有することを特徴とする。
【発明の効果】
【０００９】
本発明によれば、複数のセルが高密度に配置される場合であっても、上りリンクのセル間干渉を適切に制御することができる。
【図面の簡単な説明】
【００１０】
【図１】ＨｅｔＮｅｔの概念図である。
【図２】ユーザ端末の上りリンクデータ信号での送信電力の制御について説明する図である。
【図３】閉ループ制御を行うＴＰＣコマンドについて説明する図である。
【図４】本実施の形態に係る送信電力制御方法を適用する場合の一例を示す図である。
【図５】本実施の形態に係る送信電力制御方法を適用する場合の一例を示す図である。
【図６】本実施の形態に係る送信電力制御方法を適用する場合の一例を示す図である。
【図７】本実施の形態に係る無線通信システムの一例を示す概略図である。
【図８】本実施の形態に係る無線基地局の全体構成の説明図である。
【図９】本実施の形態に係る無線基地局の機能構成の説明図である。
【図１０】本実施の形態に係るユーザ端末の全体構成の説明図である。
【図１１】本実施の形態に係るユーザ端末の機能構成の説明図である。
【発明を実施するための形態】
【００１１】
図１は、ＨｅｔＮｅｔの概念図である。図１Ａは、マクロセルとスモールセルとで同一の周波数帯を用いた場合を示している。図１Ｂは、マクロセルとスモールセルとで異なる周波数帯を用いた場合を示している。
【００１２】
図１に示すように、ＨｅｔＮｅｔは、マクロセルＭとスモールセルＳの少なくとも一部が地理的に重複して配置される無線通信システムである。また、ＨｅｔＮｅｔは、マクロセルＭを形成する無線基地局（以下、マクロ基地局という）と、スモールセルＳを形成する無線基地局（以下、スモール基地局という）と、マクロ基地局およびスモール基地局と通信するユーザ端末と、を含んで構成される。
【００１３】
図１Ａに示す場合、マクロセルＭとスモールセルＳにおいて、たとえば、０．８ＧＨｚ（８００ＭＨｚ）や２ＧＨｚなどの同一の周波数帯のキャリアを適用することができる。図１Ｂに示す場合、マクロセルＭにおいて、たとえば、０．８ＧＨｚ（８００ＭＨｚ）や２ＧＨｚなどの相対的に低い周波数帯のキャリアＦ１が用いられる。一方、複数のスモールセルＳにおいて、たとえば、３．５ＧＨｚなどの相対的に高い周波数帯のキャリアＦ２が用いられる。
【００１４】
また、スモールセルＳとマクロセルＭとが異なる無線基地局で運用される場合、マクロ基地局とスモール基地局とは、バックホールで接続されて相互に情報のやり取りを行う。マクロ基地局とスモール基地局間の接続は、光ファイバ（Optical  fiber）や非光ファイバ（Ｘ２インターフェース）などの有線接続、あるいは無線接続とすることが考えられる。なお、マクロ基地局とスモール基地局間を光ファイバ以外の回線（たとえば、Ｘ２インターフェース）で接続する場合には、マクロ基地局とスモール基地局間の情報の送受信において遅延時間が無視できなくなる。理想的には、バックホールの伝達遅延は０ミリ秒であるが、バックホールの環境によっては最大で伝達遅延が数１０ミリ秒となる可能性がある。
【００１５】
図１に示す無線通信システムにおいては、マクロセルＭによりカバレッジが担保され、一定の通信を保証した上でスモールセルＳを設置することができる。したがって、スモールセルＳの設置や運用、保守に係るコストを低減することが可能となる。
【００１６】
一方、同一の周波数帯を用いるセルが高密度に配置され、かつ、それぞれのカバレッジが複雑に重複しあう場合には、トラフィックオフロードの効果よりもセル間干渉の影響が強くなるという問題が想定される。また、マクロセルＭとスモールセルＳとが同一の周波数帯で運用される環境では、マクロセルＭとスモールセルＳとの間で大きな干渉が生じる問題が想定される。特に、ユーザ端末ごとに送信地点や送信電力が異なる上りリンクでは、セル間干渉がスループット性能に大きな影響を及ぼすことが問題となる。
【００１７】
そのため、上りリンクのセル間干渉制御として、与干渉が大きいユーザ端末の送信電力を減らす方法が考えられる。
【００１８】
図２に示すように、ユーザ端末の上りリンクデータ信号での送信電力は、ユーザ端末による開ループ制御のパスロス補償と、無線基地局による閉ループ制御の電力調整との組み合わせにより制御される。
【００１９】
具体的には、上りリンクで送信する信号であるＰＵＳＣＨ（Physical  Uplink  Shared  Channel）、ＰＵＣＣＨ（Physical  Uplink  Control  Channel）、ＳＲＳ（Sounding  Reference  Signal）などの送信電力は、ユーザ端末が下り参照信号の受信電力から算出した伝搬損失を補償する開ループ制御と、無線基地局がユーザ端末からの受信品質を測定し、ＴＰＣ（Transmission  Power  Control）コマンドを用いてユーザ端末に送信電力増減を指示する閉ループ制御との組み合わせにより制御される。
【００２０】
具体的に、ユーザ端末の上りリンクデータ信号での送信電力は、下記式（１）で表される。
【数１】
2014220711.tif 000003
（１）
【００２１】
ここで、ＰＣＭＡＸ，ｃ（ｉ）は許容最大送信電力であり、ＭＰＵＳＣＨ，ｃ（ｉ）は割り当て帯域幅であり、ＰＯ＿ＰＵＳＣＨ，ｃ（ｊ）は送信電力オフセット（ターゲット受信電力）であり、αはフラクショナルＴＰＣの重み係数であり、ＰＬｃはパスロス測定値であり、ΔＴＦ，ｃ（ｉ）はＭＣＳ依存のオフセットであり、ｆｃ（ｉ）はＴＰＣコマンドによる補正値である。
【００２２】
一般的に、閉ループＴＰＣパラメータであるｆｃ（ｉ）は、物理下り制御チャネルであるＰＤＣＣＨ（Physical  Downlink  Control  Channel）または拡張ＰＤＣＣＨ（Enhanced  Physical  Downlink  Control  Channel：ＥＰＤＣＣＨ）で送られるＴＰＣコマンドにより制御される。
【００２３】
図３に示すように、上り共有チャネルであるＰＵＳＣＨを制御するＴＰＣコマンドは、ＰＵＳＣＨのスケジューリングを指示する上りリンクグラント（Uplink  grant：UL  grant）、または、複数のユーザ端末向けのＴＰＣコマンドのみで構成されるＤＣＩフォーマット３／３Ａにより送られる。
【００２４】
上りリンクグラントは、上りデータ割り当てのスケジューリング情報と、ＰＵＳＣＨに対するＴＰＣコマンドを含む。なお、上りリンクグラントは、ＰＤＣＣＨまたは拡張ＰＤＣＣＨのどちらか一方を介して送信可能である。
【００２５】
一方、ＤＣＩフォーマット３／３Ａは、送信電力制御用の下り制御信号に適用されるフォーマットであり、複数のユーザ端末に対する複数のＴＰＣコマンドを含む。たとえば、無線基地局は、識別子と１つのインデックスをユーザ端末に通知し、ユーザ端末は、無線基地局から通知された識別子によって識別されるＤＣＩフォーマット３／３Ａに含まれるインデックスに対するＴＰＣコマンドを、自装置宛てのＴＰＣコマンドとして認識する。なお、ＤＣＩフォーマット３／３Ａは、ＰＤＣＣＨのみを介して送信可能である。
【００２６】
また、上り制御チャネルであるＰＵＣＣＨを制御するＴＰＣコマンドは、ＰＤＳＣＨのスケジューリング情報を通知する下りリンクアサインメント（Downlink  assignment：DL  assignment）、または、ＤＣＩフォーマット３／３Ａにより送られる。
【００２７】
下りリンクアサインメントは、下りデータ割り当てのスケジューリング情報と、ＰＵＣＣＨに対するＴＰＣコマンドを含む。なお、下りリンクアサインメントは、ＰＤＣＣＨまたは拡張ＰＤＣＣＨのどちらか一方を介して送信可能である。
【００２８】
ところで、上りリンクグラントまたは下りリンクアサインメントを用いて、各ユーザ端末に対するＴＰＣコマンドを送信する場合には、無線基地局と通信を行わないユーザ端末に対してはＴＰＣコマンドを送信することができない。すなわち、上りリンクグラントまたは下りリンクアサインメントによるＴＰＣコマンドは、ユーザ端末と通信を行うセルのみが制御可能である。
【００２９】
一方、ＤＣＩフォーマット３／３Ａは、上りリンクグラントまたは下りリンクアサインメントとは独立に送信可能な制御信号である。したがって、無線基地局側から見れば、ＤＣＩフォーマット３／３Ａを用いることにより、上下リンクで通信があるなしに関わらずいかなるユーザ端末に対してもＴＰＣコマンドを送信し、閉ループ制御を行うことができる。換言すれば、ＤＣＩフォーマット３／３Ａによれば、ユーザ端末と通信を行うセルとは異なるセルからであっても、ＴＰＣコマンドを送信することが可能である。
【００３０】
しかし、ユーザ端末は、上りリンクグラントまたは下りリンクアサインメントを検出した場合、上りリンクグラントまたは下りリンクアサインメントに含まれるＴＰＣコマンドを用いて送信電力制御を行う。換言すれば、ユーザ端末は、上りリンクグラントまたは下りリンクアサインメントとＤＣＩフォーマット３／３Ａを同一サブフレームで検出したとしても、ＤＣＩフォーマット３／３Ａに含まれるＴＰＣコマンドを無視している。したがって、大量のデータを通信するユーザ端末に対しては、上りリンクグラントや下りリンクアサインメントが連続して送信されるため、ＤＣＩフォーマット３／３ＡによるＴＰＣコマンドは適用されないことが多くなる。すなわち、このようなユーザ端末に対しては、ＤＣＩフォーマット３／３Ａによる閉ループ制御を行うことができない。したがって、前述のようにユーザ端末と通信を行うセルとは異なるセルからＤＣＩフォーマット３／３ＡによるＴＰＣコマンドを送信しても、電力制御できない可能性が高い。
【００３１】
そこで、本発明者らは、ユーザ端末が、上りリンクグラントまたは下りリンクアサインメントと、ＤＣＩフォーマット３／３Ａとを同時に検出した場合に送信電力制御に用いるＴＰＣコマンドを従来と入れ替える、すなわち送信電力制御に用いるＴＰＣコマンドの優先順位を変えることで、通信の割り当てを行う上りリンクグラントまたは下りリンクアサインメントとは独立に送信電力制御を行うことを見出した。このことにより、与干渉が大きいユーザ端末に対して、直接通信を行わない周辺セルであっても、ＤＣＩフォーマット３／３ＡによりＴＰＣコマンドを送信して、送信電力制御を行うことが可能となる。
【００３２】
（第１の態様）
以下に、ユーザ端末が、上りリンクグラントまたは下りリンクアサインメントと、ＤＣＩフォーマット３／３Ａとを同時に検出した場合に、ＴＰＣコマンドの優先順位を変えて、ＤＣＩフォーマット３／３Ａに含まれるＴＰＣコマンドを用いて行う送信電力制御について具体的に説明する。
【００３３】
このような送信電力制御を行う場合における無線基地局の動作について説明する。
【００３４】
無線基地局は、ユーザ端末がＴＰＣコマンドの優先順位を変えることが可能か否かを判断する。たとえば、無線基地局は、ユーザ端末が無線基地局に通知するユーザ端末の能力情報（UE  capability）に基づいて、ユーザ端末がＴＰＣコマンドの優先順位を変えることが可能か否かを判断する。
【００３５】
無線基地局は、各ユーザ端末の能力に基づいてＴＰＣコマンドの優先順位の変更を指示する場合には、上りリンクグラントまたは下りリンクアサインメントに含まれるＴＰＣコマンドと、ＤＣＩフォーマット３／３Ａに含まれるＴＰＣコマンドとの、いずれを優先するかを、電力制御指示情報としてＲＲＣ（Radio  Resource  Control）などの上位レイヤにより通知する。
【００３６】
また、無線基地局は、ユーザ端末に対して、ＤＣＩフォーマット３／３Ａを復号するための識別子（Radio  Network  Temporary  Identity：ＲＮＴＩ）と、ＤＣＩフォーマット３／３Ａのいずれの領域が当該ユーザ端末に対するＴＰＣコマンドであるかを指定するＴＰＣインデックスと、をＲＲＣにより通知する。
【００３７】
ユーザ端末と通信を行う物理セルまたは仮想セルでは、ユーザ端末に対して、上りリンクグラントまたは下りリンクアサインメントを送信する。一方、ユーザ端末と通信を行わない物理セルまたは仮想セルでは、ユーザ端末の与干渉が大きいと判断した場合に、ＤＣＩフォーマット３／３Ａによりユーザ端末の送信電力制御を指示する。
【００３８】
続いて、送信電力制御を行う場合におけるユーザ端末の動作について説明する。
【００３９】
ユーザ端末は、次の（１）から（５）のうち、いずれかの条件を満たす場合に、ＴＰＣコマンドの優先順位の変更を設定する。
（１）無線基地局からＲＲＣなどの上位レイヤにより指示された場合。なお、指示は、ＭＡＣヘッダに含まれていてもよい。また、無線基地局の指示から所定の時間区間の間ＴＰＣコマンドの優先順位を変更する、としてもよい。所定の時間区間としては、たとえば数サブフレーム（ミリ秒単位）区間や、数無線フレーム区間（１０ミリ秒単位）が考えられる。この場合、所定の時間経過後はＴＰＣコマンドの優先順位が従前の優先順位に戻るので、ＴＰＣコマンドの優先順位を元に戻すのに要するシグナリングオーバーヘッド増加を抑圧できる。
（２）複数の異なる物理セルまたは仮想セルが送信する物理下り制御チャネルを設定（configure）された場合。
（３）無線基地局から、Ｉｎｔｅｒ−ｅＮＢ  ＣｏＭＰ／ＣＡが設定（configure）された場合、または、Ｉｎｔｅｒ−ｅＮＢ  ＣｏＭＰ／ＣＡを行うための上位レイヤシグナリングを受信した場合。
（４）時分割複信（Time  Division  Duplex：ＴＤＤ）方式において、下りサブフレームと上りサブフレームとの比率（UL-DL  configuration）の変更が指示された場合、または、比率変更指示から所定の時間が経過するまで。
（５）時分割複信（ＴＤＤ）方式において、下りサブフレームと上りサブフレームとの比率を変更した場合の、下りと上りが入れ替わるサブフレーム番号のサブフレーム。
【００４０】
上記（５）に示す場合において、具体例を下記表１に示す。
【表１】
2014220711.tif 000004
【００４１】
表１は、ＴＤＤ方式における上りリンクと下りリンクの構成を示す表である。ＴＤＤ方式におけるサブフレームは、下りリンクサブフレーム（Ｄ）、上りリンクサブフレーム（Ｕ）およびスペシャルサブフレーム（Ｓ）であることができる。
【００４２】
表１に示すように、上りリンク／下りリンク構成値（UL-DL  config）３，４に基づいて、下りサブフレームと上りサブフレームとの比率を変更した場合、サブフレーム番号４において、上りリンクサブフレーム（Ｕ）と下りリンクサブフレーム（Ｄ）とが入れ替わる。したがって、ユーザ端末は、サブフレーム番号４のサブフレームにおいて、ＴＰＣコマンドの優先順位を変えればよい。
【００４３】
上記（１）から（５）は、いずれもセル間の干渉がより強く影響する環境であり、ＴＰＣコマンドの優先順位を変えて、ＤＣＩフォーマット３／３Ａによる電力制御を行うことができるようにすることで、効果的に干渉制御をすることが可能となる。
【００４４】
ユーザ端末は、制御チャネルのうち制御信号が送信される可能性のあるサーチスペースをモニタリングし、ブラインド復号を実行する。
【００４５】
ブラインド復号によりＴＰＣコマンドの優先順位の変更を設定したユーザ端末は、ＤＣＩフォーマット３／３Ａを検出した場合には、上りリンクグラントまたは下りリンクアサインメントの検出有無にかかわらず、ＤＣＩフォーマット３／３Ａに含まれるＴＰＣコマンドに基づいて送信電力を変更する。一方、ＴＰＣコマンドの優先順位の変更を設定したユーザ端末が、ＤＣＩフォーマット３／３Ａを検出せず、上りリンクグラントまたは下りリンクアサインメントを検出した場合には、上りリンクグラントまたは下りリンクアサインメントに含まれるＴＰＣコマンドに基づいて送信電力を変更する。
【００４６】
無線基地局およびユーザ端末において、上述の動作を行うことにより、与干渉が大きいユーザ端末に対して、当該ユーザ端末と直接通信を行わない周辺セルであっても、ＤＣＩフォーマット３／３ＡによりＴＰＣコマンドを送信することによって、ユーザ端末の送信電力制御を行い、干渉を低減することが可能となる。
【００４７】
また、第１の態様に係る送信電力制御を行う際には、新たな仕組みや制御信号の導入を必要としない。ユーザ端末は従前と同様に制御信号の受信および検出を行えばよく、得られた制御信号に含まれるＴＰＣコマンドのうち送信電力制御に用いるＴＰＣコマンドを変えるのみである。したがって、既存のＬＴＥ−Ａｄｖａｎｃｅｄ端末回路を流用することができ、コストの増大を抑圧できる。
【００４８】
（適用例１）
図４に示すように、密集するスモールセルＳが１つの仮想セルを形成する場合における、上記送信電力制御の適用例について説明する。
【００４９】
図４Ａに示すように、密集するスモールセルＳが１つの仮想セルを形成する場合には、物理下り制御チャネルの一部（たとえば、ＰＤＣＣＨ）は、スモールセル共通で運用し、物理下り制御チャネルの一部（たとえば、拡張ＰＤＣＣＨ）は、スモールセル個別で運用するように設定する。
【００５０】
そして、各スモールセルＳにおけるユーザ端末は、ＰＤＣＣＨおよび拡張ＰＤＣＣＨの両方をモニタリングするように設定される。これにより、図４Ｂに示すように、各スモールセルＳは、自セルにおけるユーザ端末と拡張ＰＤＣＣＨによる通信を行いつつ、周辺スモールセルにおけるユーザ端末の送信電力をＰＤＣＣＨにより送信するＤＣＩフォーマット３／３Ａによって制御することができる。
【００５１】
（適用例２）
図５に示すように、マクロセルＭとスモールセルＳによるオーバーレイセルラ構成を有する場合における、上記送信電力制御の適用例について説明する。
【００５２】
図５Ａに示すように、マクロセルＭは２つの異なる周波数帯（ｆ１およびｆ２）でセルが形成され、スモールセルＳは周波数帯ｆ２でセルが形成されている。この場合、各スモールセルＳにおけるユーザ端末は、スモールセルＳによる周波数帯ｆ２と、マクロセルＭによる周波数帯ｆ１の両方で、物理下り制御チャネルをモニタリングする。
【００５３】
各スモールセルＳにおけるユーザ端末は、主にスモールセルＳによる周波数帯ｆ２で下りリンクおよび上りリンクの通信を行う。ただし、マクロセルＭが、ユーザ端末による与干渉が大きいと判断した場合には、周波数帯ｆ１でＤＣＩフォーマット３／３Ａを送信して、送信電力制御を行うことができる（図５Ｂ参照）。
【００５４】
このとき、マクロセルＭが、スモールセルＳにおける与干渉の大きい個別のユーザ端末を特定することができる場合には、ＤＣＩフォーマット３／３Ａに含まれる当該ユーザ端末向けのＴＰＣコマンドを用いて、送信電力制御を行うことができる。また、マクロセルＭが、スモールセルＳにおける与干渉の大きい個別のユーザ端末を特定することができない場合であっても、あらかじめＤＣＩフォーマット３／３Ａを受信するように指示したユーザ端末に対して、まとめて送信電力を下げるように指示することができる。この場合には、見かけ上、スモールセルＳの上りカバレッジを小さくすることができる。
【００５５】
（変形例１）
変形例１では、ＤＣＩフォーマット３／３Ａを個別サーチスペース（UE  specific  Search  Space：UE-SS）で送信する方法について説明する。
【００５６】
第１の態様において、ＤＣＩフォーマット３／３Ａは、ＰＤＣＣＨでのみ送信可能とされていた。一方、上りリンクグラントおよび下りリンクアサインメントは、ＰＤＣＣＨのみならず、拡張ＰＤＣＣＨでも送信可能である。
【００５７】
これは、ＰＤＣＣＨと拡張ＰＤＣＣＨに設定されるサーチスペースの違いに起因する。制御信号をブラインド復号して検出を試みるサーチスペースとして、ＰＤＣＣＨには、セル共通のサーチスペース（Common-SS：C-SS）と個別サーチスペース（UE-SS）とが設定されており、拡張ＰＤＣＣＨには、個別サーチスペース（UE-SS）のみが設定されている。そして、ＤＣＩフォーマット３／３Ａを送信することができるのは、セル共通のサーチスペース（C-SS）に限定されている。
【００５８】
そこで、本発明者らは、ＤＣＩフォーマット３／３Ａを、個別サーチスペース（UE-SS）で送信することを見出した。この場合、ユーザ端末がブラインド復号を行う複数のサーチスペースのうち、どのサーチスペースでＤＣＩフォーマット３／３Ａが送信される可能性があるかは、あらかじめユーザ端末に通知されるものとする。この情報は、ＤＣＩフォーマット３／３Ａの送信前に送信されるＲＲＣなどの上位レイヤ情報とともに通知すればよい。
【００５９】
ＤＣＩフォーマット３／３Ａを、個別サーチスペース（UE-SS）で送信することにより、ユーザ端末個別に設定ができる拡張ＰＤＣＣＨによってＤＣＩフォーマット３／３Ａを送信することができるので、より柔軟な仮想セル運用が可能となる。
【００６０】
また、ＰＤＣＣＨが送信されないコンポーネントキャリア（Component  Carrier：CC）においても、ＤＣＩフォーマット３／３Ａを送信することが可能となる。
【００６１】
さらに、拡張ＰＤＣＣＨはセル間で干渉制御できるため、周辺セルから送信されたＤＣＩフォーマット３／３Ａを高い精度で検出することが可能となる。
【００６２】
さらに、セル共通のサーチスペース（C-SS）はリソース量が限られる一方、個別サーチスペース（UE-SS）はリソース量が豊富であるので、より多くのユーザ端末にＤＣＩフォーマット３／３Ａを送信することが可能となる。
【００６３】
（変形例２）
変形例２では、ユーザ端末が複数のＤＣＩフォーマット３／３Ａを同時に検出した場合の処理について説明する。
【００６４】
第１の態様において、ユーザ端末は、複数のＤＣＩフォーマット３／３Ａを同時に検出する可能性がある。たとえば、図６Ａに示すように、第１の態様の適用例１で示した場合において、複数の周辺スモールセルＳが、ユーザ端末に対して与干渉が大きいと判断すると、図６Ｂに示すように、それぞれＤＣＩフォーマット３／３Ａを送信し、ユーザ端末が複数のＤＣＩフォーマット３／３Ａを同時に検出することが起こり得る。
【００６５】
このとき、ユーザ端末は、複数受信したどのＴＰＣコマンドに従えばよいのか、判断ができなくなる。したがって、複数検出したＤＣＩフォーマット３／３Ａ間での優先順位付けが必要となる。
【００６６】
そこで、ユーザ端末が複数のＤＣＩフォーマット３／３Ａを検出した場合には、次の（１）から（３）のいずれかのルールに基づいて、閉ループ制御に用いるＴＰＣコマンドを選択すればよい。
（１）検出した中で、最も小さな値を指示するＴＰＣコマンドを選択する。
（２）検出した中で、最も低いアグリゲーションレベル（Aggregation  Level：AL）で符号化されていたＤＣＩフォーマット３／３Ａに含まれるＴＰＣコマンドを選択する。
（３）上記（１）と（２）とを組み合わせて、ＴＰＣコマンドを選択する。
【００６７】
上記（１）の場合、最も干渉を受けているセルが指示するＴＰＣコマンドに従うことにより、干渉低減効果を高めることが可能となる。
【００６８】
上記（２）の場合、アグリゲーションレベルはＤＣＩフォーマット３／３Ａの符号化率に相当し、アグリゲーションレベルが低いほど高い符号化率に相当する。したがって、低いアグリゲーションレベルであるほど、ユーザ端末に近い周辺セルから、ＤＣＩフォーマット３／３Ａが送信されている可能性が高くなる。すなわち、最も低いアグリゲーションレベルのＤＣＩフォーマット３／３Ａに含まれるＴＰＣコマンドに従うことにより、最も干渉を受けているセルの干渉を低減できる可能性が高くなる。
【００６９】
（変形例３）
変形例３では、ＴＰＣコマンドに応じてＴＰＣコマンドの優先順位を変更する方法について説明する。
【００７０】
第１の態様においては、上りリンクグラントまたは下りリンクアサインメントと、ＤＣＩフォーマット３／３Ａとを同時に検出した場合に、ＤＣＩフォーマット３／３Ａに含まれるＴＰＣコマンドを優先し、ＤＣＩフォーマット３／３Ａに含まれるＴＰＣコマンドを用いて送信電力制御を行うことにより、ＤＣＩフォーマット３／３Ａによる閉ループ制御を可能としている。この方法によれば、ユーザ端末による干渉は抑えられるものの、当該ユーザ端末が属するセルではＴＰＣコマンドによる制御ができないため、当該ユーザ端末の品質が劣化する可能性がある。
【００７１】
一方、周辺セルでは、ユーザ端末の急激な干渉増加を抑えることが最も重要である。
【００７２】
そこで、上りリンクグラントまたは下りリンクアサインメントと、ＤＣＩフォーマット３／３Ａとを同時に検出した場合であっても、上りリンクグラントまたは下りリンクアサインメントに含まれるＴＰＣコマンドの値が３の場合のみ、ＤＣＩフォーマット３／３Ａに含まれるＴＰＣコマンドを優先して、送信電力を制御してもよい。ＴＰＣコマンドについては、下記表２に示す。
【表２】
2014220711.tif 000005
【００７３】
表２は、ＴＰＣコマンドの値と、従来の電力制御と、本方法による電力制御との関係を示す表である。表２に示すように、上りリンクグラントまたは下りリンクアサインメントに含まれるＴＰＣコマンドの値が０，１，２の場合には、上りリンクグラントまたは下りリンクアサインメントに含まれるＴＰＣコマンドを優先して、従来の電力制御と同様の電力制御を行う。上りリンクグラントまたは下りリンクアサインメントに含まれるＴＰＣコマンドの値が３の場合のみ、ＤＣＩフォーマット３／３Ａに含まれるＴＰＣコマンドを優先して電力制御を行う。
【００７４】
この方法によれば、自セルによるＴＰＣコマンドでの緩やかな電力調整と、周辺セルによる急激な干渉増加の抑制を両立することができる。
【００７５】
（無線通信システムの構成）
以下、本実施の形態に係る無線通信システムの一例について、詳細に説明する。
【００７６】
図７は、本実施の形態に係る無線通信システムの概略構成図である。なお、図７に示す無線通信システムは、たとえば、ＬＴＥシステムあるいは、ＳＵＰＥＲ  ３Ｇが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）を適用することができる。また、この無線通信システムは、ＩＭＴ−Ａｄｖａｎｃｅｄと呼ばれてもよいし、４Ｇ、ＦＲＡ（Future  Radio  Access）と呼ばれてもよい。
【００７７】
図７に示す無線通信システム１は、マクロセルＣ１を形成する無線基地局１１と、マクロセルＣ１内に配置され、マクロセルＣ１よりも狭いスモールセルＣ２を形成する無線基地局１２（１２ａおよび１２ｂ）とを備えている。また、マクロセルＣ１および各スモールセルＣ２には、ユーザ端末２０が配置されている。ユーザ端末２０は、無線基地局１１および無線基地局１２の双方に接続すること（dual  connectivity）ができる。
【００７８】
ユーザ端末２０と無線基地局１１との間は、相対的に低い周波数帯域（たとえば、２ＧＨｚ）で帯域幅が狭いキャリア（既存キャリア、Legacy  carrier等と呼ばれる）を用いて通信が行なわれる。一方、ユーザ端末２０と無線基地局１２との間は、相対的に高い周波数帯域（たとえば、３．５ＧＨｚ等）で帯域幅が広いキャリアが用いられてもよいし、無線基地局１１との間と同じキャリアが用いられてもよい。ユーザ端末２０と無線基地局１２間のキャリアタイプとしてニューキャリアタイプ（ＮＣＴ）を利用してもよい。無線基地局１１と無線基地局１２（または、無線基地局１２間）は、有線接続（Optical  fiber、Ｘ２インターフェース等）または無線接続されている。
【００７９】
無線基地局１１および各無線基地局１２は、それぞれ上位局装置３０に接続され、上位局装置３０を介してコアネットワーク４０に接続される。なお、上位局装置３０には、たとえば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置に接続されてもよい。
【００８０】
なお、無線基地局１１は、相対的に広いカバレッジを有する無線基地局であり、ｅＮｏｄｅＢ、マクロ基地局、送受信ポイントなどと呼ばれてもよい。また、無線基地局１２は、局所的なカバレッジを有する無線基地局であり、スモール基地局、ピコ基地局、フェムト基地局、Ｈｏｍｅ  ｅＮｏｄｅＢ、マイクロ基地局、送受信ポイントなどと呼ばれてもよい。以下、無線基地局１１および１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでいてもよい。
【００８１】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つまたは連続したリソースブロックからなる帯域に分割し、複数の端末が互いに異なる帯域を用いることで、端末間の干渉を低減するシングルキャリア伝送方式である。
【００８２】
ここで、図７に示す無線通信システム１で用いられる通信チャネルについて説明する。下りリンクの通信チャネルは、各ユーザ端末２０で共有されるＰＤＳＣＨと、下りＬ１／Ｌ２制御チャネル（ＰＤＣＣＨ、ＰＣＦＩＣＨ、ＰＨＩＣＨ、拡張ＰＤＣＣＨ）とを有する。
【００８３】
ＰＤＳＣＨにより、ユーザデータおよび上位制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ／ＮＡＣＫが伝送される。また、拡張ＰＤＣＣＨ（ＥＰＤＣＣＨ）により、ＰＤＳＣＨおよびＰＵＳＣＨのスケジューリング情報等が伝送されてもよい。この拡張ＰＤＣＣＨは、ＰＤＳＣＨ（下り共有データチャネル）と周波数分割多重される。
【００８４】
また、ＰＤＣＣＨまたは拡張ＰＤＣＣＨにより、上りリンクグラントに含まれるＰＵＳＣＨのＴＰＣコマンド、下りリンクアサインメントに含まれるＰＵＣＣＨのＴＰＣコマンド、および、ＤＣＩフォーマット３／３Ａが伝送される。
【００８５】
上りリンクの通信チャネルは、各ユーザ端末２０で共有される上りデータチャネルとしてのＰＵＳＣＨと、上りリンクの制御チャネルであるＰＵＣＣＨとを有する。このＰＵＳＣＨにより、ユーザデータや上位制御情報が伝送される。また、ＰＵＣＣＨにより、下りリンクの無線品質情報（ＣＱＩ：Channel  Quality  Indicator）、ＡＣＫ／ＮＡＣＫ等が伝送される。
【００８６】
図８は、本実施の形態に係る無線基地局１０（無線基地局１１および１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【００８７】
下りリンクにより無線基地局１０からユーザ端末２０に送信されるユーザデータは、上位局装置３０から伝送路インターフェース１０６を介してベースバンド信号処理部１０４に入力される。
【００８８】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、たとえば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下りリンクの制御チャネルの信号に関しても、チャネル符号化や逆高速フーリエ変換等の送信処理が行われて、各送受信部１０３に転送される。
【００８９】
また、ベースバンド信号処理部１０４は、上位レイヤシグナリング（ＲＲＣシグナリング、報知信号等）により、ユーザ端末２０に対して、当該セルにおける通信のための制御情報を通知する。当該セルにおける通信のための情報には、たとえば、上りリンクまたは下りリンクにおけるシステム帯域幅、フィードバック用のリソース情報等が含まれる。各送受信部１０３は、ベースバンド信号処理部１０４からアンテナごとにプリコーディングして出力されたベースバンド信号を無線周波数帯に変換する。アンプ部１０２は、周波数変換された無線周波数信号を増幅して送受信アンテナ１０１により送信する。
【００９０】
一方、上りリンクによりユーザ端末２０から無線基地局１０に送信されるデータについては、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００９１】
ベースバンド信号処理部１０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００９２】
図９は、本実施の形態に係る無線基地局１０が有するベースバンド信号処理部１０４の主な機能構成図である。図９に示すように、無線基地局１０が有するベースバンド信号処理部１０４は、制御部３０１と、下り制御信号生成部３０２と、下りデータ信号生成部３０３と、マッピング部３０４と、デマッピング部３０５と、チャネル推定部３０６と、上り制御信号復号部３０７と、上りデータ信号復号部３０８と、判定部３０９と、を少なくとも含んで構成されている。
【００９３】
制御部３０１は、ＰＤＳＣＨで送信される下りユーザデータ、ＰＤＣＣＨと拡張ＰＤＣＣＨ（ＥＰＤＣＣＨ）の両方、またはいずれか一方で伝送される下りリンクアサインメント、上りリンクグラント、およびＤＣＩフォーマット３／３Ａを制御する。
【００９４】
具体的に、制御部３０１は、上位局装置３０からの指示情報や各ユーザ端末２０からのフィードバック情報に基づいて、下りリンク信号および上りリンク信号に対する無線リソースの割り当てを制御する。つまり、制御部３０１は、スケジューラとしての機能を有している。
【００９５】
また、制御部３０１は、各ユーザ端末２０に対して送信電力制御するためのＴＰＣコマンドの生成および通知を制御する。具体的に、制御部３０１は、ユーザ端末２０に対して、ＤＣＩフォーマット３／３Ａを復号するためのＲＮＴＩと、ＤＣＩフォーマット３／３Ａ内におけるＴＰＣコマンドの多重位置を示すインデックスとを割り当てる。
【００９６】
無線基地局１０が、ＴＰＣコマンドの優先順位の変更をユーザ端末２０に指示する場合には、制御部３０１は、ユーザ端末２０が無線基地局１０に通知するユーザ端末２０の能力情報に基づいて、ユーザ端末２０がＴＰＣコマンドの優先順位を変更できるか否かを判断する。そして、ユーザ端末２０がＴＰＣコマンドの優先順位を変更できる場合には、ユーザ端末２０が上りリンクグラントまたは下りリンクアサインメントに含まれるＴＰＣコマンドとＤＣＩフォーマット３／３Ａに含まれるＴＰＣコマンドのいずれを優先するかを制御する。
【００９７】
下り制御信号生成部３０２は、制御部３０１により割り当てが決定された下り制御信号（ＰＤＣＣＨ信号と拡張ＰＤＣＣＨ信号の両方、またはいずれか一方）を生成する。具体的に、下り制御信号生成部３０２は、制御部３０１からの指示に基づいて、下りリンク信号の割り当て情報およびＰＵＣＣＨを制御するＴＰＣコマンドを通知する下りリンクアサインメント、上りリンク信号の割り当て情報およびＰＵＳＣＨを制御するＴＰＣコマンドを通知する上りリンクグラント、および、ＤＣＩフォーマット３／３Ａを生成する。
【００９８】
下りデータ信号生成部３０３は、制御部３０１によりリソースへの割り当てが決定された下りデータ信号（ＰＤＳＣＨ信号）を生成する。下りデータ信号生成部３０３により生成されるデータ信号には、各ユーザ端末２０からのＣＳＩ等に基づいて決定された符号化率、変調方式に従って符号化処理、変調処理が行われる。制御部３０１で決定された、ＴＰＣコマンドに関する情報は、上位レイヤシグナリングとして下りデータ信号生成部３０３で生成される下りデータ信号に含めてもよい。
【００９９】
マッピング部３０４は、制御部３０１からの指示に基づいて、下り制御信号生成部３０２で生成された下り制御信号と、下りデータ信号生成部３０３で生成された下りデータ信号の無線リソースへの割り当てを制御する。
【０１００】
デマッピング部３０５は、ユーザ端末から送信された上りリンク信号をデマッピングして、上りリンク信号を分離する。チャネル推定部３０６は、デマッピング部３０５で分離された受信信号に含まれる参照信号からチャネル状態を推定し、推定したチャネル状態を上り制御信号復号部３０７、上りデータ信号復号部３０８に出力する。
【０１０１】
上り制御信号復号部３０７は、上り制御チャネル（ＰＵＣＣＨ）で送信されたフィードバック信号（送達確認信号等）を復号し、制御部３０１へ出力する。上りデータ信号復号部３０８は、上り共有チャネル（ＰＵＳＣＨ）で送信された上りデータ信号を復号し、判定部３０９へ出力する。判定部３０９は、上りデータ信号復号部３０８の復号結果に基づいて、再送制御判定（ＡＣＫ／ＮＡＣＫ）を行うとともに、結果を制御部３０１に出力する。
【０１０２】
図１０は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【０１０３】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【０１０４】
一方、上りリンクのユーザデータについては、アプリケーション部２０５からベースバンド信号処理部２０４に入力される。ベースバンド信号処理部２０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１０５】
図１１は、ユーザ端末２０が有するベースバンド信号処理部２０４の主な機能構成図である。図１１に示すように、ユーザ端末２０が有するベースバンド信号処理部２０４は、制御部４０１と、上り制御信号生成部４０２と、上りデータ信号生成部４０３と、マッピング部４０４（割り当て部）と、電力制御部４０５と、デマッピング部４０６と、チャネル推定部４０７と、下り制御信号復号部４０８と、下りデータ信号復号部４０９と、判定部４１０と、を少なくとも含んで構成されている。
【０１０６】
制御部４０１は、無線基地局１０から送信された下り制御信号（上りリンクグラント、下りリンクアサインメント）や再送制御判定結果に基づいて、上り制御信号（フィードバック信号）や上りデータ信号の生成を制御する。下り制御信号は下り制御信号復号部４０８から出力され、再送制御判定結果は、判定部４１０から出力される。
【０１０７】
また、制御部４０１は、無線基地局１０から送信された下り制御信号（上りリンクグラント、下りリンクアサインメント）に基づいて、無線リソースに対する上り制御信号（フィードバック信号）と上りデータ信号の割り当てについてマッピング部４０４に指示する。
【０１０８】
さらに、制御部４０１は、無線基地局１０から送信された上りリンクグラントまたは下りリンクアサインメントに含まれるＴＰＣコマンド、もしくはＤＣＩフォーマット３／３Ａに含まれるＴＰＣコマンドに基づいて、電力制御について電力制御部４０５に指示する。なお、ユーザ端末２０が、無線基地局１０から、ＤＣＩフォーマット３／３Ａに含まれるＴＰＣコマンドを優先する通知を受けている場合には、制御部４０１は、ＴＰＣコマンドの優先順位の変更を設定する。
【０１０９】
この場合、上りリンクグラントまたは下りリンクアサインメントとＤＣＩフォーマット３／３Ａを同時に検出すると、制御部４０１は、ＤＣＩフォーマット３／３Ａに含まれるＴＰＣコマンドに基づいて、電力制御について電力制御部４０５に指示する。一方、ＤＣＩフォーマット３／３Ａを検出せず、上りリンクグラントまたは下りリンクアサインメントを検出した場合には、制御部４０１は、上りリンクグラントまたは下りリンクアサインメントに含まれるＴＰＣコマンドに基づいて、電力制御について電力制御部４０５に指示する。
【０１１０】
上り制御信号生成部４０２は、制御部４０１からの指示に基づいて上り制御信号（送達確認信号やチャネル状態情報（ＣＳＩ））を生成する。また、上りデータ信号生成部４０３は、制御部４０１からの指示に基づいて上りデータ信号を生成する。なお、制御部４０１は、無線基地局１０から通知される下り制御信号に上りリンクグラントが含まれている場合に、上りデータ信号４０３に上りデータ信号の生成を指示する。
【０１１１】
マッピング部４０４（割り当て部）は、制御部４０１からの指示に基づいて、上り制御信号（フィードバック信号）と上りデータ信号の無線リソースへの割り当てを制御する。
【０１１２】
電力制御部４０５は、制御部４０１からの指示に基づいて、ユーザ端末２０の送信電力を設定し、ＰＵＳＣＨやＰＵＣＣＨの送信電力を変更する。
【０１１３】
デマッピング部４０６は、無線基地局１０から送信された下りリンク信号をデマッピングして、下りリンク信号を分離する。チャネル推定部４０７は、デマッピング部４０６で分離された受信信号に含まれる参照信号からチャネル状態を推定し、推定したチャネル状態を下り制御信号復号部４０８、下りデータ信号復号部４０９に出力する。
【０１１４】
下り制御信号復号部４０８は、下り制御チャネル（ＰＤＳＣＨ）で送信された下り制御信号（上りリンクグラント、下りリンクアサインメント）を復号し、スケジューリング情報（上りリソースへの割り当て情報）を制御部４０１へ出力する。下りデータ信号復号部４０９は、下り共有チャネル（ＰＤＳＣＨ）で送信された下りデータ信号を復号し、判定部４１０へ出力する。判定部４１０は、下りデータ信号復号部４０９の復号結果に基づいて、再送制御判定（ＡＣＫ／ＮＡＣＫ）を行うと共に結果を制御部４０１に出力する。
【０１１５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨および範囲を逸脱することなく修正および変更態様として実施することができる。たとえば、上述した複数の態様を適宜組み合わせて適用することができる。したがって、本明細書の記載は、例示説明を目的とするものであり、本発明に対して何ら制限的な意味を有するものではない。
【符号の説明】
【０１１６】
１…無線通信システム
１０…無線基地局
１１…無線基地局（マクロ基地局）
１２、１２ａ、１２ｂ…無線基地局（スモール基地局）
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３０１、４０１…制御部
３０２…下り制御信号生成部
３０３…下りデータ信号生成部
３０４、４０４…マッピング部
３０５、４０６…デマッピング部
３０６、４０７…チャネル推定部
３０７…上り制御信号復号部
３０８…上りデータ信号復号部
３０９、４１０…判定部
４０２…上り制御信号生成部
４０３…上りデータ信号生成部
４０５…電力制御部
４０８…下り制御信号復号部
４０９…下りデータ信号復号部
【図１】
2014220711.tif 000006
【図２】
2014220711.tif 000007
【図３】
2014220711.tif 000008
【図４】
2014220711.tif 000009
【図５】
2014220711.tif 000010
【図６】
2014220711.tif 000011
【図７】
2014220711.tif 000012
【図８】
2014220711.tif 000013
【図９】
2014220711.tif 000014
【図１０】
2014220711.tif 000015
【図１１】
2014220711.tif 000016